(57)【特許請求の範囲】
【請求項１】
教則用コンテンツ等を保存蓄積するサーバと、通信網に接続可能な複数の端末装置からなる楽器教則用コンテンツ配信システムにおいて、
前記サーバは、
教則用コンテンツを構成する演奏している楽器の音のデータを含む音声データと楽器を演奏している状況を映した静止画像及び／又は動画画像を含む映像データと楽曲の楽譜である楽譜データと、当該映像データと当該楽譜データとを所定のフレームに表示するためのプログラムデータとを保存蓄積する教則用データ保存蓄積手段と、
前記いずれかの端末装置から任意の楽曲の配信要求があった場合、コンテンツ抽出プログラムを起動させ、配信要求のあった楽曲の音声データと映像データと楽譜データとを抽出する教則用コンテンツ抽出手段と、
当該教則用コンテンツ抽出手段により抽出された楽曲の各データと、当該プログラムデータとをパッケージ化するパッケージ化手段と、
当該パッケージ化されたパッケージデータを端末装置に配信するパッケージデータ送信手段とを有し、
前記配信要求をした端末装置は、当該パッケージデータを受信する手段と、
当該受信したパッケージデータを保存蓄積する手段と、
を備えてなり、
当該パッケージデータを保存蓄積した当該端末装置は、
映像データと楽譜データとを所定のフレームに表示するフレーム手段と、
映像データ及び楽譜データをそれぞれの小フレームに表示すると共にこれらの小フレームを更に大フレーム内に表示するフレーム表示手段と、
映像データ又は楽譜データを表示した小フレームのいずれか一方を大フレーム全体に表示する拡大表示手段と、
映像データを表示した小フレームにおいて、更に当該小フレームをメインムービー画像を映すフレームとサブムービー画像を映すフレームから構成し、当該メインムービー画像と当該サブムービー画像を切り替え表示する手段と、
音声データを再生した場合には、この音声データの再生に映像データ及び楽譜データが同期して表示される同期表示手段と、
楽譜データを示した小フレーム内の音声データの再生を開始する任意の小節と音声データの再生を終了する任意の小節の指定を受け付ける手段又は／及び楽譜データを示した小フレーム内の音声データの再生を開始する任意の音符と音声データの再生を終了する任意の音符の指定を受け付ける手段であるリピート部分選択受付手段と、
音声データの再生が開始された場合には、当該リピート部分選択受付手段により受け付けたリピート部分を繰り返し再生する音声データリピート再生手段と、
映像データが端末装置のディスプレイに表示されている場合には、当該音声データの再生に同期して当該音声データに合致した楽器演奏の映像データが再生される映像データリピート再生手段と、
楽譜データが端末装置のディスプレイに表示されている場合には、当該音声データの再生に同期して音声データに合致した楽譜部分が表示される楽譜データリピート再生手段と、
を備えてなり、
更に、
メトロノームを表示させメトロノーム機能を利用するメトロノーム表示手段と、
練習対象の楽器以外の伴奏を再生するバッキング手段と、
を備えてなることを特徴とする楽器教則用コンテンツ配信システム。
【請求項２】
教則用コンテンツを構成する演奏している楽器の音のデータを含む音声データと楽器を演奏している状況を映した静止画像及び／又は動画画像を含む映像データと楽曲の楽譜である楽譜データと、当該映像データと当該楽譜データとを所定のフレームに表示するためのプログラムデータとがパッケージ化されたパッケージデータを保存蓄積した端末装置に、
映像データと楽譜データとを所定のフレームに表示するステップと、
映像データ及び楽譜データをそれぞれの小フレームに表示すると共にこれらの小フレームを更に大フレーム内に表示するステップと、
映像データ又は楽譜データを表示した小フレームのいずれか一方を大フレーム全体に表示するステップと、
映像データを表示した小フレームにおいて、更に当該小フレームをメインムービー画像を映すフレームとサブムービー画像を映すフレームから構成し、当該メインムービー画像と当該サブムービー画像を切り替え表示するステップと、
音声データを再生した場合には、この音声データの再生に映像データ及び楽譜データを同期して表示するステップと、
楽譜データを示した小フレーム内の音声データの再生を開始する任意の小節と音声データの再生を終了する任意の小節の指定を受け付ける又は／及び楽譜データを示した小フレーム内の音声データの再生を開始する任意の音符と音声データの再生を終了する任意の音符の指定を受け付けるリピート部分選択受付ステップと、
音声データの再生が開始された場合には、当該リピート部分選択受付手段により受け付けたリピート部分を繰り返し再生する音声データリピート再生ステップと、
映像データが当該端末装置のディスプレイに表示されている場合には、当該音声データの再生に同期して当該音声データに合致した楽器演奏の映像データが再生される映像データリピート再生ステップと、
楽譜データが当該端末装置のディスプレイに表示されている場合には、当該音声データの再生に同期して音声データに合致した楽譜部分が表示される楽譜データリピート再生ステップと、
更に、
メトロノームを表示させメトロノーム機能を利用するメトロノーム表示ステップと、
練習対象の楽器以外の伴奏を再生するバッキングステップと、
からなる手順を実行させるための教則用楽曲データ再生プログラム。
【発明の詳細な説明】
【技術分野】
【０００１】
本発明は、インターネット等の通信網を介して楽器教則用コンテンツを配信する楽器教則用コンテンツ配信システム及び当該楽器教則用コンテンツを再生する教則用楽曲データ再生プログラムに関するものである。
【背景技術】
【０００２】
近年、楽器演奏用の教材として、楽譜や楽器を演奏している指の状態を示した写真等を印刷した書籍等の印刷媒体、音声のみを記録したＣＤ等の音声媒体、演奏状態を撮影し記録したＤＶＤ等の映像媒体が販売されている。
【０００３】
しかしながら、書籍等の印刷媒体では、演奏者の実際の動きを十分に表すことは困難であり、利用者は実際の模範演奏も聴くことが出来ないため、利用者が楽器や奏法固有の動きを十分理解し演奏するのが難しく、なかなか上達しにくいというのが実情であった。また、ＣＤ等の音声媒体やＤＶＤ等の映像媒体では、実際の模範演奏を見たり聞くことが可能であるものの、実際の譜面のどの部分を演奏しているかまでを理解するには、当該楽器の専門的な知識が必要であるため、なかなか上達するには至らないとういのが実情であった。特に、このような教材を使用する利用者は、当該楽器の初学者であるため、これらの教材のみだけでは上達するのが困難で、上達するためには当該楽器のプロに直接学ぶ者が殆どであった。
【０００４】
一方、これらの印刷媒体、音声媒体、映像媒体を販売している業者は、一旦これらの教材を製作した後には増刷することは行わず、再度新しい教材を作成するのが常であった。これは、増刷では販売数量が多く望めないため、書店等の販売店が取り扱いをためらう場合が多いこと、逆に新しい教材であればある程度の販売数量を望めるためであったが、新しい教材の制作もコストがかかっていた。
また、例えば、利用者が教材の一部の購入を望んだ場合であっても、教材全てを購入しなければならないため、コストがかかってしまうというデメリットも存在した。
【０００５】
そこで、本願出願人は、楽器演奏用の教材の利用者が、教材を利用するだけで実際に演奏技術を高めることが可能で、加えて利用者・教材制作者のコスト上のメリット、及び利便性を検討し開発したのが本発明である。
【０００６】
従来技術としては、音楽や動画などのコンテンツを携帯電話機等の端末装置へ配信するシステムが複数提案されている（特許文献１乃至３）。
【先行技術文献】
【特許文献】
【０００７】
【特許文献１】特開２００４−２０６０１４号公報
【特許文献２】特開２００４−３０２５３１号公報
【特許文献３】特開２００５−３２１６３９号公報
【発明の概要】
【発明が解決しようとする課題】
【０００８】
発明が解決しようとする問題点は、楽器演奏用の教材の利用者が、教材を利用するだけで実際に演奏技術を高めることが可能である一方、加えて利用者・教材制作者のコスト上のメリットを高める点である。利用者の利便性は、具体的には、持ち運び可能なタブレット式ＣＰに任意の時間・場所で教材をダウンロード可能とすることである。また、ダウンロードした教材データを演奏の任意位置間でリピート可能とすること、演奏されている箇所を分かりやすく表示することである。
【課題を解決するための手段】
【０００９】
教則用コンテンツ等を保存蓄積するサーバと、通信網に接続可能な複数の端末装置からなる楽器教則用コンテンツ配信システムにおいて、前記サーバは、教則用コンテンツを構成する演奏している楽器の音のデータを含む音声データと楽器を演奏している状況を映した静止画像及び／又は動画画像を含む映像データと楽曲の楽譜である楽譜データと、当該映像データと当該楽譜データとを所定のフレームに表示するためのプログラムデータとを保存蓄積する教則用データ保存蓄積手段と、前記いずれかの端末装置から任意の楽曲の配信要求があった場合、コンテンツ抽出プログラムを起動させ、配信要求のあった楽曲の音声データと映像データと楽譜データとを抽出する教則用コンテンツ抽出手段と、当該教則用コンテンツ抽出手段により抽出された楽曲の各データと、当該プログラムデータとをパッケージ化するパッケージ化手段と、当該パッケージ化されたパッケージデータを端末装置に配信するパッケージデータ送信手段とを有し、前記配信要求をした端末装置は、当該パッケージデータを受信する手段と、当該受信したパッケージデータを保存蓄積する手段と、を備えてなり、当該パッケージデータを保存蓄積した当該端末装置は、映像データと楽譜データとを所定のフレームに表示するフレーム手段と、映像データ及び楽譜データをそれぞれの小フレームに表示すると共にこれらの小フレームを更に大フレーム内に表示するフレーム表示手段と、映像データ又は楽譜データを表示した小フレームのいずれか一方を大フレーム全体に表示する拡大表示手段と、映像データを表示した小フレームにおいて、更に当該小フレームをメインムービー画像を映すフレームとサブムービー画像を映すフレームから構成し、当該メインムービー画像と当該サブムービー画像を切り替え表示する手段と、音声データを再生した場合には、この音声データの再生に映像データ及び楽譜データが同期して表示される同期表示手段と、楽譜データを示した小フレーム内の音声データの再生を開始する任意の小節と音声データの再生を終了する任意の小節の指定を受け付ける手段又は／及び楽譜データを示した小フレーム内の音声データの再生を開始する任意の音符と音声データの再生を終了する任意の音符の指定を受け付ける手段であるリピート部分選択受付手段と、音声データの再生が開始された場合には、当該リピート部分選択受付手段により受け付けたリピート部分を繰り返し再生する音声データリピート再生手段と、
映像データが端末装置のディスプレイに表示されている場合には、当該音声データの再生に同期して当該音声データに合致した楽器演奏の映像データが再生される映像データリピート再生手段と、楽譜データが端末装置のディスプレイに表示されている場合には、当該音声データの再生に同期して音声データに合致した楽譜部分が表示される楽譜データリピート再生手段と、を備えてなり、更に、メトロノームを表示させメトロノーム機能を利用するメトロノーム表示手段と、練習対象の楽器以外の伴奏を再生するバッキング手段と、
を備えてなることを特徴とする。
【００１０】
教則用コンテンツを構成する演奏している楽器の音のデータを含む音声データと楽器を演奏している状況を映した静止画像及び／又は動画画像を含む映像データと楽曲の楽譜である楽譜データと、当該映像データと当該楽譜データとを所定のフレームに表示するためのプログラムデータとがパッケージ化されたパッケージデータを保存蓄積した端末装置に、映像データと楽譜データとを所定のフレームに表示するステップと、映像データ及び楽譜データをそれぞれの小フレームに表示すると共にこれらの小フレームを更に大フレーム内に表示するステップと、映像データ又は楽譜データを表示した小フレームのいずれか一方を大フレーム全体に表示するステップと、映像データを表示した小フレームにおいて、更に当該小フレームをメインムービー画像を映すフレームとサブムービー画像を映すフレームから構成し、当該メインムービー画像と当該サブムービー画像を切り替え表示するステップと、音声データを再生した場合には、この音声データの再生に映像データ及び楽譜データを同期して表示するステップと、楽譜データを示した小フレーム内の音声データの再生を開始する任意の小節と音声データの再生を終了する任意の小節の指定を受け付ける又は／及び楽譜データを示した小フレーム内の音声データの再生を開始する任意の音符と音声データの再生を終了する任意の音符の指定を受け付けるリピート部分選択受付ステップと、音声データの再生が開始された場合には、当該リピート部分選択受付手段により受け付けたリピート部分を繰り返し再生する音声データリピート再生ステップと、映像データが当該端末装置のディスプレイに表示されている場合には、当該音声データの再生に同期して当該音声データに合致した楽器演奏の映像データが再生される映像データリピート再生ステップと、楽譜データが当該端末装置のディスプレイに表示されている場合には、当該音声データの再生に同期して音声データに合致した楽譜部分が表示される楽譜データリピート再生ステップと、更に、メトロノームを表示させメトロノーム機能を利用するメトロノーム表示ステップと、練習対象の楽器以外の伴奏を再生するバッキングステップと、からなる手順を実行させるための教則用楽曲データ再生プログラムであることを特徴とする。
【発明の効果】
【００１２】
本発明に係る楽器教則用コンテンツ配信システム及び教則用楽曲データ再生プログラムは、次の効果を奏するものである。
教則用コンテンツ配信を望む業者は、従来作成していた音声データと映像データを少しの加工で使用することが可能となるため、新たにこれらのコンテンツを初めから作成する必要が無くなり、制作費を抑えられる。同一フレーム内に映像データと楽譜データを表示可能であり、また映像データ又は楽譜データのいずれかのみでも表示可能としたため、利用者は所望の画像を選択して見ることでき、楽器演奏の勉強に役立てることが可能となる。更に、楽譜データの任意の小節単位、音符単位でリピート可能としたため、より細かく楽器の奏法を学ことが可能となる。
【図面の簡単な説明】
【００１３】
【図１】図１は、本実施例に係る楽器教則用コンテンツ配信システムの全体構成図である。
【図２】図２は、コンテンツ配信サーバから端末装置へコンテンツを配信する際のフローを示した図である。
【図３】図３は、端末装置であるタブレット型コンピュータでのコンテンツの使用方法のフローを示した図である。
【図４】図４は、端末装置であるタブレット型コンピュータのディスプレイにメイン画面が表示されてる状態を示した図である。
【図５】図５は、端末装置であるタブレット型コンピュータのディスプレイにムービービューア部分のメインフレームが全面表示されている状態を示した図である。
【図６】図６は、端末装置であるタブレット型コンピュータのディスプレイにスコアビューア部分が全面表示され、その下部にコンソールパネル部分が表示されている状態を示した図である。
【発明を実施するための最良の形態】
【００１４】
楽器演奏を学ぶ初学者が、単独でも楽器演奏を容易に学べるようにするという目的を、楽器演奏画像データと楽譜データとを組合せ、それらの表示方法や楽譜データには任意のリピート機能等により実現した。
【実施例１】
【００１５】
先ず、本実施例に係る楽器教則用コンテンツ配信システムの全体構成及びフローの概略を図１を用いて説明する。当該教則用コンテンツ配信システムは、図１に示すように、インターネット、専用回線、イントラネット等の通信網２０に接続されたコンテンツ配信サーバ１０と、当該通信網２０に接続可能なタブレット型コンピュータ、ディスクトップコンピュータ、携帯端末等の端末装置３０からなる。本実施例の説明においては、タブレット型コンピュータを端末装置として説明する。タブレット型コンピュータとは、平板状の外形で一方の面にディスプレイを備え、タッチパネル式などの表示／入力部、音声出力部等を有し、携帯可能なパーソナルコンピュータである。
【００１６】
コンテンツ配信サーバ１０は、図示しないが、通信部、ＣＰＵ、データベース等から構成される。当該データベースには、楽曲データが保存蓄積されている。当該データベースは、演奏している楽器の音のデータを含む音声データと、楽器を演奏している状況を映した静止画像及び／又は動画画像を含む映像データと、楽曲の楽譜である楽譜データと、これらを端末装置に表示等するためのプログラムからなるプログラムデータとが含まれる。当該プログラムデータには、当該映像データと当該楽譜データを収めるためのフレームデータが含まれている。
【００１７】
＜コンテンツの購入方法＞
教則用コンテンツの購入方法を図２を用いて説明する。本実施例に係る教則用コンテンツ配信システムの利用者は、自己の端末装置３０からインターネット等の通信網２０を介して、コンテンツ配信サーバ１０にアクセスする。すると、楽曲購入画面が端末装置３０のディスプレイに表示され、その表示に従って利用者は任意の楽曲及び支払い方法等を選択し、送信する（Ｃ１）。これを受けたコンテンツ配信サーバでは、コンテンツ抽出プログラムが起動し、選択されたコンテンツの音声データ、映像データ、楽譜データをそれぞれのテーブルから抽出する（Ｓ１，Ｓ２）。複数の楽曲購入要求があった場合には、コンテンツの音声データ、映像データ、楽譜データの抽出が繰り返し行われる（Ｓ３）。次に、これら抽出した各データとプログラムデータとをパッケージ化し、当該パッケージデータを端末装置に送信する（Ｓ４，Ｓ５）。ここで、選択された楽曲が複数の場合には、それぞれの楽曲毎にこの作業が行われる。コンテンツ配信サーバから、楽曲のパッケージデータを受信した端末装置では、当該楽曲のパッケージデータが保存蓄積される（Ｃ２）。
【００１８】
なお、上記では、プログラムデータも一緒にパッケージ化して送信しているが、一度購入したことのある端末装置をコンテンツ配信サーバに記憶させ、２度目以降は選択されたコンテンツの音声データ、映像データ、楽譜データのみをパッケージ化して送信する方法としても良い。
【００１９】
＜コンテンツの使用方法＞
端末装置であるタブレット型コンピュータ３１での当該コンテンツの使用方法について図３〜図６を用いて説明する。図３は、使用方法の全体のフローを示す図である。
先ず、利用者が端末装置であるタブレット型コンピュータ３１を起動し、当該コンテンツをディスプレイに表示させる。具体的には、図４に示すメイン画面３１ａがディスプレイに表示される（Ｓ１０）。当該メイン画面３１ａは、全体が一つの大きなフレームで表示され、インフォメーションビューア部分１００、ムービービューア部分２００、スコアビューア部分３００、コンソールパネル部分４００の小さなフレームで構成される。インフォメーションビュアー部分１００には、画面に表示されている楽曲の演奏ポイント等の情報が表示される。ムービービューア部分２００は、映像データを表示する部分であり、右側に比較的大きなフレーム（メインムービーを映すフレーム）２００ａ、左側に上下に分かれた比較的小さなフレーム（サブムービーを映すフレーム）２００ｂ，２００ｃが表示され、これらのフレームの下方にムービーコントロールバー２１０、頭出しボタン２２０、再生／一時停止ボタン２３０、ボリュームコントロールバー２４０が表示され、これらにより操作が可能となっている。
【００２０】
図４のムービービューア部分２００には、ギターの演奏画像が表示されており、ピックを把持している右手及びギターの弦を押さえている左手の全体の動きが分かる画像２００ａと、当該右手の動きのみをアップにした画像２００ｂと、当該左手の動きのみをアップにした画像２００ｃとからなる。これらの画像は、画像切り替えボタン２５０，２５０にタッチすることにより、メインムービー画像とサブムービー画像とを切り替えることが可能である。また、拡大／縮小ボタン２６０をタップすることによりムービービューア部分のメインムービーを図５に示す様に全画面表示することも可能である。メインムービーが全面表示された場合には、その下部にムービーコントロールバー２１０、頭出しボタン２２０、再生／一時停止ボタン２３０、ボリュームコントロールバー２４０が表示され、これらにより操作が可能となっている。これにより、楽器演奏の指の動きを特に学習したい利用者には、動画を拡大してみることができるため、学習効果がより上がることとなる。
【００２１】
スコアビューア部分３００は、楽譜データが表示される部分であり、当該部分には楽譜が表示され、当該楽譜上に演奏されている箇所を示すタイムライン３１０が表示される。図４及び図６に表示されている楽譜は、上段が五線譜、下段がギター用のタブラチュア譜となっている。当該スコアビューア部分３００は、拡大／縮小ボタン３６０をタッチすることにより図６に示す様に全画面表示することも可能である。スコアビュー部分３００が全面表示された場合には、その下部にコンソールパネル部分４００が表示され、操作が可能となっている。コンソールパネル部分４００には、メトロノーム（ＭＥＴＲＯＮＯＭＥ）４０１、チューナー（ＴＵＮＥＲ）４０２、テキスト（ＴＥＸＴ）４０３、バッキング（ＢＡＣＫＩＮＧ）４０４、マイク（ＲＥＣ）４０５、オールリピート（ＡＬＬ  ＲＥＰ．）４０６、フレーズリピート（ＰＨＲＡＳＥ  ＲＥＰ．）４０７、再生／一時停止（ＰＬＡＹ）４０８、スピード（ＳＰＥＥＤ）４０９、インデックス（ＩＮＤＥＸ）４１０の各ボタンが設けられている。
【００２２】
利用者が、このメトロノーム（ＭＥＴＲＯＮＯＭＥ）４０１のボタンを操作することにより、インフォメーションビューア部分１００にメトロノームが表示され、メトロノーム機能を利用することが出来るようになる。また、利用者が、チューナー（ＴＵＮＥＲ）ボタン４０２を操作することにより、インフォメーションビューア部分１００にチューナーが表示され、チューナー機能を利用することが出来るようになる。また、利用者が、テキスト（ＴＥＸＴ）ボタン４０３を操作することにより、スコアビューア部分３００に表示されている楽譜の演奏ポイントなどが表示され、更に表示された演奏ポイント解説中の専門用語部分をタップして当該専門用語の解説も表示させることが出来る。インフォメーションビューア部分１００では、拡大／縮小ボタン１６０を操作することにより、これらを拡大表示すること可能である。また、バッキング（ＢＡＣＫＩＮＧ）ボタン４０４を操作することにより、練習対象の楽器以外の伴奏を再生することが出来るため、練習中のフレーズを伴奏に合わせて演奏することが可能となる。また、マイク（ＲＥＣ）ボタン４０５を操作することにより、自分の演奏を録音し、その録音したファイルを表示／管理することが出来る。また、オールリピート（ＡＬＬ  ＲＥＰ．）ボタン４０６を操作することにより、スコアビューア部分３００に表示されている楽曲を最初から最後まで通してリピート演奏（楽曲の再生）させることが出来る。また、フレーズリピート（ＰＨＲＡＳＥ  ＲＥＰ．）ボタン４０７を操作することにより、スコアビューア部分３００に表示されている楽曲のリピートを所望する任意の部分を設定することが出来る。また、再生／一時停止（ＰＬＡＹ）ボタン４０８を操作することにより、演奏及びムービーを再生、一時停止の操作が出来る。また、スピード（ＳＰＥＥＤ）ボタン４０９を操作することにより、再生スピードを設定することが出来る。本実施例では、再生スピードは、通常再生、１／２再生、１／４再生が出来るように設定されている。これにより、例えば１６分音符が４分音符の速さにすること等が可能となるため、利用者が楽器演奏の学習に役立てることが出来る。また、インデックス（ＩＮＤＥＸ）ボタン４１０を操作することにより、ダウンロード済みのコンテンツのリストや、各コンテンツのインデックスを参照することが出来る。利用者は、このコンテンツのリストにより、所望の楽曲を選択して演奏の練習を行う事が出来る。
【００２３】
メイン画面からムービービューア部分２００のメインムービー２００ａの全画面表示又はスコアビューア部分３００の全画面表示への移動、及びムービービューア部分２００のメインムービー２００ａの全画面表示又はスコアビューア部分３００の全画面表示からメイン画面３１ａへの移動が可能となっている。この移動は、演奏（楽曲の再生）中であっても可能となっている。これらの移動が可能となることにより、利用者が演奏途中で指の動きを確認することや楽譜を確認することがより容易になり、学習効果が上がることになる。
【００２４】
利用者は、ムービービューア部分２００の再生／一時停止２３０のボタン又はコンソールパネル部分４００の再生／一時停止（ＰＬＡＹ）ボタン４０８をタップすることにより、楽曲の演奏（楽曲の再生）をいずれの画面でも行うことが可能である。この場合、スコアビューア部分３００が画面に表示されている場合には、ムービービューアに表示されている動画に同期して演奏（楽曲の再生）している箇所に合わせてタイムライン３１０が移動する。スコアビューアのみが画面に表示されている場合には、演奏（楽曲の再生）音に同期して演奏（楽曲の再生）されている箇所に遭わせてタイムライン３１０が移動する。
【００２５】
（楽曲の再生）
ここで、演奏（楽曲の再生）開始から演奏（楽曲の再生）終了までのフローを図３を用いて説明する。
先ず、利用者が、端末装置であるタブレット型コンピュータ３１に予め購入し保存蓄積されていた本件実施例に係るアプリケーションを起動させる。すると、当該タブレット型コンピュータ３１のディスプレイ１にメイン画面が表示される（Ｓ１０）。次に利用者は、コンソールパネル４００のインデックス４１０のボタンを操作し、インデックスに保存蓄積されている楽曲リストから、所望の楽曲を選択する。次に、必要な場合には、選択した楽曲に合わせて、コンソールパネル４００のメトロノーム４０１、チューナー４０２、スピード４０９等の各ボタンで、メトロノーム音の有無、チューニング、演奏（楽曲の再生）速度の設定等を行う。また、演奏（楽曲の再生）のリピートを行う場合には、オールリピート４０６又はフレーズリピート４０７のボタンで設定を行う。リピート設定については後述する。
【００２６】
次に、利用者は、ムービービューア画面の再生／一時停止２３０のボタン、又はコンソールパネルの再生／一時停止ボタン４０８を操作することにより、演奏（楽曲の再生）を開始することが出来る。この時、画面表示を、ムービービューア部分２００の全画面表示又はメインムービー２００ａの全画面表示（以下、動画画面表示という。）、スコアビューア部分３００の全画面表示（以下、譜面画面表示という。）、の何れかを選択することも出来る（Ｓ２０）。利用者は、メイン画面３１ａのままの状態か、動画画面表示又は譜面画面表示の何れかの画面表示を選択して、演奏（楽曲の再生）を開始する（Ｓ２１，Ｓ２２，Ｓ２３）。すると、演奏（楽曲の再生）と同期してムービービューア部分１００の動画が再生表示される。また、演奏（楽曲の再生）と同期してスコアビューア部分３００の譜面が再生表示され、タイムライン３１０も演奏と同期して移動表示される。メイン画面のまま演奏（楽曲の再生）を開始した場合には、演奏（楽曲の再生）途中に動画画面表示とすることも、譜面画面表示とすることも可能であり、また動画画面表示又は譜面画面表をメイン画面表示に戻すことも可能である（Ｓ３０，Ｓ４０，Ｓ５０，Ｓ６０，Ｓ７０）。いずれの画面表示であっても、演奏（楽曲の再生）を最後まで行う事が出来る。演奏（楽曲の再生）が終了すると、ムービービューア及びタイムライン３１０が停止する。リピート設定を行っていた場合には、演奏（楽曲の再生）が繰り返し行われる。
【００２７】
（リピート設定）
リピート設定について説明する。
利用者が楽曲の演奏（楽曲の再生）の全てのリピートを所望する場合には、コンソールパネル部分４００のオールリピート（ＡＬＬ  ＲＥＰ．）ボタン４０６をタップして操作する。すると、楽曲の演奏（楽曲の再生）全てがリピートされるよう設定される。これを解除するためには、再度オールリピート（ＡＬＬ  ＲＥＰ．）ボタン４０６をタップして操作し、設定を解除する。
【００２８】
一方、利用者が、楽曲の一部のリピートを所望する場合には、コンソールパネル部分４００のフレーズリピート（ＰＨＲＡＳＥ  ＲＥＰ．）ボタン４０７をタップし、次に、スコアビューアに示された楽譜の任意の開始位置を指定し、ドラッグしたまま終了位置までスライドさせ終了位置を指定する。具体的には、図４及び図６中に示す矢印３００ａ，３００ａで表されるように開始位置から終了位置を指定する。指定されたリピート指定部分３００ｂ，３００ｂは、リピート部分が分かるように色が変わる。そして、再生／一時停止ボタン２３０，４０８をタップして操作すると、開始位置から演奏（楽曲の再生）が開始され終了位置で終了し、この演奏（楽曲の再生）が繰り返し行われる。その際、ムービービューア（動画）がディスプレイに表示されている場合には、動画も当該演奏（楽曲の再生）に合わせて繰り返し再生される。このリピート位置の設定は、小節単位でも、音符単位でもすることが可能である。利用者は、再生／一時停止ボタンにタッチして再生を止めることが出来る。
【００２９】
従来の楽器演奏用の教材では、リピート機能があるとしても、リピート部分を音符単位で自由に設定することができないものであったため、特定の部分を何度もリピートして学習しようとする場合には、全体又は学習を望む箇所を含んだ特定部分全体をリピート再生しなければならず、非常に不便であった。しかし、本実施例に係る教則用コンテンツ配信システムでは、リピート部分を音符単位で指定することが可能であるため、必要な部分のみリピートでき、利用者がより学習効果を得ることが可能となっている。
【符号の説明】
【００３０】
１０    コンテンツ配信サーバ
２０    通信網
３０    端末装置
３１    タブレット型コンピュータ
３１ａ    メイン画面
１００    インフォメーションビューア部分
１６０    拡大／縮小ボタン
２００    ムービービューア部分
２００ａ    メインムービーを映すフレーム
２００ｂ，２００ｃ    サブムービーを映すフレーム
２１０    ムービーコントロールバー
２２０    頭出しボタン
２３０    再生／一時停止ボタン
２４０    ボリュームコントロールバー
２５０    画像切り替えボタン
２６０    拡大／縮小ボタン
３００    スコアビューア部分
３００ａ    矢印
３００ｂ    リピート指定部分
３１０    タイムライン
３６０    拡大／縮小ボタン
４００    コンソールパネル４００
４０１    メトロノームボタン
４０２    チューナーボタン
４０３    テキスト（ＴＥＸＴ）ボタン
４０４    バッキング（ＢＡＣＫＩＮＧ）ボタン
４０５    マイク（ＲＥＣ）ボタン
４０６    オールリピート（ＡＬＬ  ＲＥＰ．）ボタン
４０７    フレーズリピート（ＰＨＲＡＳＥ  ＲＥＰ．）ボタン
４０８    再生／一時停止（ＰＬＡＹ）ボタン
４０９    スピード（ＳＰＥＥＤ）ボタン
４１０    インデックス（ＩＮＤＥＸ）ボタン
【図１】
0005566316.tif 000002
【図２】
0005566316.tif 000003
【図３】
0005566316.tif 000004
【図４】
0005566316.tif 000005
【図５】
0005566316.tif 000006
【図６】
0005566316.tif 000007